(57)【要約】      （修正有）【課題】デジタルカメラの設定情報を画像として記録する。【解決手段】カメラの撮影モード、シャッタースピード、絞り、フォーカスの状態（オートフォーカスの設定モード）、画像処理内容などのカメラの設定情報を収集する情報収集手段と、情報収集手段により収集された設定情報を表示装置に表示する設定情報画像を生成する画像生成手段と、画像生成手段により生成された設定情報画像を記録媒体に記録する記録制御手段とを備える。【選択図】図４
2010278882.tif 000002
【特許請求の範囲】
【請求項１】
カメラの設定情報を収集する情報収集手段と、
前記情報収集手段により収集された前記設定情報を表示装置に表示する設定情報画像を生成する画像生成手段と、
前記画像生成手段により生成された前記設定情報画像を記録媒体に記録する記録制御手段とを備えることを特徴とするデジタルカメラ。
【請求項２】
請求項１に記載のデジタルカメラにおいて、
前記記録制御手段は、前記設定情報画像と対応付けて前記設定情報を前記記録媒体に記録することを特徴とするデジタルカメラ。
【請求項３】
請求項１または請求項２に記載のデジタルカメラにおいて、
前記記録媒体に記録されている前記設定情報画像を読み出して前記表示装置に表示させる表示制御手段を備えることを特徴とするデジタルカメラ。
【請求項４】
請求項３に記載のデジタルカメラにおいて、
前記表示装置に表示されている前記設定情報画像と対応付けて前記記録媒体に記録されている前記設定情報を読み出し、該設定情報をカメラに設定する情報設定手段を備えることを特徴とするデジタルカメラ。
【請求項５】
請求項４に記載のデジタルカメラにおいて、
前記表示制御手段は、１または複数の前記記録媒体に記録されている複数の前記設定情報画像を読み出して前記表示装置に表示させ、
前記情報設定手段は、前記表示装置に表示されている複数の前記設定情報画像の中から使用者に選択された前記設定情報画像に対応する前記設定情報を読み出し、該設定情報をカメラに設定することを特徴とするデジタルカメラ。
【請求項６】
請求項１〜５のいずれか一項に記載のデジタルカメラにおいて、
前記記録媒体はカメラに対して着脱可能であることを特徴とするデジタルカメラ。
【発明の詳細な説明】
【技術分野】
【０００１】
本発明はデジタルカメラに関する。
【背景技術】
【０００２】
カメラの設定情報をバイナリー形式もしくはテキスト形式のデータファイルに保存するとともに、そのようなデータファイルから設定情報を読み込んでカメラに設定するようにしたデジタルカメラが知られている（例えば、特開２００１−２１１４１８号公報参照）。
【先行技術文献】
【特許文献】
【０００３】
【特許文献１】特開２００１−２１１４１８号公報
【発明の概要】
【発明が解決しようとする課題】
【０００４】
しかしながら、設定情報をテキストデータとして保存する上記特許文献１のデジタルカメラにおいても、設定情報のテキストデータをディスプレイに表示させたときに多くの文字が羅列されることになり、煩雑で見にくいという問題がある。
【課題を解決するための手段】
【０００５】
(１)  請求項１の発明は、カメラの設定情報を収集する情報収集手段と、情報収集手段により収集された設定情報を表示装置に表示する設定情報画像を生成する画像生成手段と、画像生成手段により生成された設定情報画像を記録媒体に記録する記録制御手段とを備えるデジタルカメラである。
(２)  請求項２の発明は、請求項１に記載のデジタルカメラにおいて、記録制御手段は、設定情報画像と対応付けて設定情報を記録媒体に記録する。
(３)  請求項３の発明は、請求項１または請求項２に記載のデジタルカメラにおいて、記録媒体に記録されている設定情報画像を読み出して表示装置に表示させる表示制御手段を備える。
(４)  請求項４の発明は、請求項３に記載のデジタルカメラにおいて、表示装置に表示されている設定情報画像と対応付けて記録媒体に記録されている設定情報を読み出し、該設定情報をカメラに設定する情報設定手段を備える。
(５)  請求項５の発明は、請求項４に記載のデジタルカメラにおいて、表示制御手段は、１または複数の記録媒体に記録されている複数の設定情報画像を読み出して表示装置に表示させ、情報設定手段は、表示装置に表示されている複数の設定情報画像の中から使用者に選択された設定情報画像に対応する設定情報を読み出し、該設定情報をカメラに設定する。
(６)  請求項６の発明は、請求項１〜５のいずれか一項に記載のデジタルカメラにおいて、記録媒体はカメラに対して着脱可能である。
【発明の効果】
【０００６】
本発明によれば、カメラの設定状態を容易に確認することができる。
【図面の簡単な説明】
【０００７】
【図１】一実施の形態のデジタルカメラの構成を示す図
【図２】一実施の形態のカメラ設定保存プログラムを示すフローチャート
【図３】セットアップメニュー画面例を示す図
【図４】カメラ設定画像の一例を示す図
【図５】カメラの設定画像ファイルの構成を示す図
【図６】一実施の形態のカメラ設定読み込みプログラムを示すフローチャート
【図７】セットアップメニュー画面例を示す図
【図８】カメラの設定画像の表示例を示す図
【発明を実施するための形態】
【０００８】
図１は一実施の形態のデジタルカメラの構成を示す図である。なお、図１において、本願発明と直接関係のないデジタルカメラの機器および装置については図示と説明を省略する。撮像素子１はＣＣＤイメージセンサーやＣＭＯＳイメージセンサーなどから構成され、撮像光学系(不図示)により撮像面に結像された被写体像を光電変換してアナログ画像信号を生成する。信号処理回路２は、撮像素子１のアナログ画像信号に対してクランプ処理、ＣＤＳ処理（相関二重サンプリング）、ＡＧＣ処理（自動利得調整）などを行う。Ａ／Ｄ変換器３は、信号処理回路２により処理を施されたアナログ画像信号をデジタル画像信号に変換する。
【０００９】
ＡＳＩＣ（画像処理回路）４は、デジタル画像信号に対してフィルター処理、カラー化処理、色変換処理、輪郭補償、ガンマ補正、ホワイトバランス調整などを施して画像データを生成する。ＴＧ（タイミングジェネレーター）５は、撮像素子駆動用ＤＲ（ドライバー）６、信号処理回路２、Ａ／Ｄ変換器３およびＡＳＩＣ４に対して電荷蓄積、蓄積信号の読み出し、Ａ／Ｄ変換、画像処理などの各種処理のタイミングを制御する。ＪＰＥＧ圧縮回路７は、画像データをＪＰＥＧ方式の所定の比率で圧縮する。メモリ８は、デジタル画像信号、画像データ、カメラ設定画像ファイルなどを一時記憶するバッファーである。モニター９は表示制御用ＤＲ（ドライバー）１０により制御され、スルー画像や再生画像の他にメニュー画像やカメラ設定画像などを表示する。
【００１０】
操作装置１１は、レリーズ半押しおよび全押しスイッチや、メニュースイッチ、コマンドダイヤルスイッチ、方向キースイッチなどのカメラを操作するための各種操作部材である。記録媒体１２はメモリカードなどの着脱可能な記憶素子であり、ＩＦ（インターフェース）１３を介してＣＰＵ１４との間で画像ファイルの授受を行う。焦点検出／調節装置１５は、撮像光学系(不図示)の焦点検出を行うとともに、焦点検出結果に基づいて撮像光学系の焦点調節を行う装置である。ズームレンズ駆動装置１６は撮像光学系(不図示)の焦点距離を調節する装置であり、測光装置１７は被写体輝度を測定する装置である。
【００１１】
ＣＰＵ１４は、カメラの撮像処理、画像処理、記録処理、焦点検出／調節制御、測光処理、シーケンス制御などを行うとともに、後述する制御プログラムを実行してカメラの設定情報の保存と読み込みを行う。ＣＰＵ１４には上述した各種回路、装置、機器が接続されるとともに、制御プログラムや各種設定データを記憶するＲＯＭやＲＡＭなどのメモリ１８が接続される。
【００１２】
図２は、カメラの設定画像を保存するためのカメラ設定保存プログラムを示すフローチャートである。使用者が操作装置１１のメニュースイッチを操作してモニター９に図３に示すようなセットアップメニュー画面を表示させ、操作装置１１の方向キースイッチにより「カメラ設定の保存」メニューを選択すると、ＣＰＵ１４は図２に示すカメラ設定保存プログラムの実行を開始する。ステップ１において、カメラの現在の設定情報を収集し、収集した設定情報に基づいてカメラ設定画像を作成する。続くステップ２で、収集した設定情報をモニター９に表示するカメラ設定画像を生成し、カメラ設定画像をモニター９に表示する。
【００１３】
図４はカメラ設定画像の一例を示す。カメラ設定画像には、撮影モード、シャッタースピード、絞り、フォーカスの状態（オートフォーカスの設定モード）、画像処理内容などのカメラの設定情報が、予め決められた表示フォーマットにしたがって表示される。なお、カメラの設定情報には、上述した撮影条件などの他に、使用者が好みに合わせてカメラをカスタマイズしたあらゆる設定情報が含まれる。
【００１４】
カメラ設定画像の表示フォーマット、すなわち設定情報の配置デザインはこの一実施の形態のものに限定されず、使用者が好みに合わせてカスタマイズすることができる。また、カメラ設定画像にはすべての設定情報を表示する必要はなく、使用者が参照する頻度の高い設定情報、あるいは重要な設定情報を優先的に表示してもよい。さらに、１枚のカメラ設定画像に多くの設定情報を表示すると見づらくなるため、必要に応じて複数のカメラ設定画像に分割してもよい。
【００１５】
ステップ３において、使用者が操作装置１１の方向キーを操作して図４に示すカメラ設定画像の表示画面上の「保存ＯＫ」ボタンにカーソルを設定し、操作装置１１の入力スイッチを操作したか否かを判別する。保存操作がない場合はステップ４へ進み、カメラ設定画像を消去してカメラ設定保存プログラムの実行を終了する。カメラ設定画像の保存操作があった場合はステップ５へ進み、ステップ１で収集したカメラの設定情報をカメラ設定画像のヘッダー部に付加する。
【００１６】
図５はカメラの設定画像ファイルの構成を示す図である。カメラ設定画像はＪＰＥＧ画像として設定画像ファイルに記録される。また、カメラの設定情報は、設定画像ファイルの付加情報を記録できるＥＸＩＦ規格のメーカーノートタグ内に記録される。なお、カメラの設定画像ファイルは、カメラ設定画像ごとに生成され、それぞれにファイル名が付されて管理される。
【００１７】
ステップ６では、カメラ設定画像ファイルをＩＦ（インターフェース）１３を介して記録媒体１２に記録し、保存する。なお、カメラ設定画像ファイルは記録媒体１２の記憶容量の範囲内において何枚でも記録することができる。
【００１８】
このように、一実施の形態のデジタルカメラによれば、カメラの設定情報を収集し、収集した設定情報をモニター９に表示するカメラ設定画像（設定情報画像）を生成するようにしたので、カメラの設定状態を容易に確認することができる。また、このカメラ設定画像を記録媒体１２に記録するようにしたので、ある画像を撮影したときのカメラの設定状態を容易に確認できる。さらに、カメラ設定画像（設定情報画像）と対応付けてカメラの設定情報を記録媒体１２に記録するようにしたので、１台のカメラを複数の使用者で共有する場合でも、カメラの設定情報を個人別に管理できる。
【００１９】
図６はカメラの設定画像を読み込むためのカメラ設定読み込みプログラムを示すフローチャートである。使用者が操作装置１１のメニュースイッチを操作してモニター９に図７に示すようなセットアップメニュー画面を表示させ、操作装置１１の方向キースイッチにより「カメラ設定の読み込み」メニューを選択すると、ＣＰＵ１４は図６に示すカメラ設定読み込みプログラムの実行を開始する。ステップ１１において、ＩＦ（インターフェース）１３を介して記録媒体１２からカメラ設定画像ファイルを読み込み、メモリ８に一時記憶する。続くステップ１２で、メモリ８に記憶されているカメラ設定画像ファイルを読み出し、ファイルの中のカメラ設定画像をモニター９に表示する。
【００２０】
図８はカメラ設定画像の表示例を示す。この表示例では、記録媒体１２に４種類のカメラ設定画像ファイルが記録されており、それらのファイル内のカメラ設定画像を一覧表示した例を示す。ここでは、同一の表示フォーマット（設定情報の配置デザイン）で記録されている４枚のカメラ設定画像を例に挙げて説明するが、異なる表示フォーマットで記録された複数のカメラ設定画像を読み込み、一覧表示することも可能である。また、１枚の記録媒体１２から複数種類のカメラ設定画像ファイルを読み出す場合の他に、複数の記録媒体１２からそれぞれカメラ設定画像ファイルを読み出す場合もある。複数のカメラ設定画像が一覧表示された表示画面上において、使用者が操作装置１１のカーソルでいずれかのカメラ設定画像を選択すると、ＣＰＵ１４は、選択されたカメラ設定画像の枠を他のカメラ設定画像と異なる色で表示する。
【００２１】
ステップ１３では、図８に示すカメラ設定画像の表示画面上において、使用者が操作装置１１の方向キーによりいずれかのカメラ設定画像を選択し、「読み込みＯＫ」ボタンにカーソルを設定して操作装置１１の入力スイッチを操作したか、つまり選択したカメラ設定画像の設定情報をカメラに設定する操作がなされたか否かを判別する。設定操作がない場合はステップ１４へ進み、モニター９に表示されているカメラ設定画像を消去してカメラ設定読み込みプログラムの実行を終了する。設定操作があった場合はステップ１５へ進み、選択されたカメラ設定画像ファイルのヘッダー部に記録されている設定情報をカメラに設定し、このカメラ設定読み込みプログラムの実行を終了する。
【００２２】
このように、一実施の形態のデジタルカメラによれば、記憶媒体１２に記録されているカメラ設定画像（設定情報画像）を読み出してモニター９に表示させるようにしたので、１台のカメラを複数の使用者の間で共有する場合でも、個人個人の好みのカメラの設定状態を容易に確認できる。また、モニター９に表示されているカメラ設定画像（設定情報画像）と対応付けて記録媒体１２に記録されているカメラの設定情報を読み出し、この設定情報をカメラに設定するようにした。さらに、１または複数の記録媒体１２から複数のカメラ設定画像（設定情報画像）を読み出してモニター９に表示させ、それらの中から使用者が選択したカメラ設定画像に対応する設定情報をカメラに設定するようにした。これにより、１台のカメラを複数の使用者の間で共有する場合でも、個人ごとの好みの設定状態をモニター９で確認しながら、カメラを個人ごとの好みの状態に容易に設定できる。
【００２３】
なお、上述した一実施の形態ではメニュー画面で「カメラ設定画像の読み込み」メニューを選択して設定情報をカメラに設定する例を示したが、カメラを再生モードにし、記録媒体１２からカメラ設定画像を読み込んでモニター９に再生画像として表示し、使用者により選択されたいずれかのカメラ設定画像の設定情報をカメラに設定するようにしてもよい。
【００２４】
また、上述した一実施の形態ではＪＰＥＧ形式でカメラ設定画像を記録する例を示したが、カメラ設定画像の記録形式は一実施の形態のＪＰＥＧ形式に限定されず、例えばＴＩＦ形式やＬＯＷ形式などの他の形式で記録することができる。
【００２５】
上述した一実施の形態では本願発明をデジタルカメラに適用した例を示したが、本願発明はカメラ付き携帯電話機のカメラに対しても適用することができる。
【００２６】
なお、上述した実施の形態とそれらの変形例において、実施の形態と変形例とのあらゆる組み合わせが可能である。
【符号の説明】
【００２７】
９；モニター、１２；記録媒体、１４；ＣＰＵ
【図１】
2010278882.tif 000003
【図２】
2010278882.tif 000004
【図３】
2010278882.tif 000005
【図４】
2010278882.tif 000006
【図５】
2010278882.tif 000007
【図６】
2010278882.tif 000008
【図７】
2010278882.tif 000009
【図８】
2010278882.tif 000010